(57)【要約】【課題】  調理器本体をシステムキッチン等に組み込んだ後、固定金具によって固定するものにおいて、固定金具による指等の損傷を防止する事を目的とするものである。【解決手段】  調理器本体の天面に、被調理物を載せて加熱する天板を一体的に装着すると共に、調理器本体をシステムキッチン等の天面板に開口した開口部内に上方から挿入するものにおいて、調理器本体の前面左右にサイドモールを前面より着脱自在に装着すると共に、このサイドモールの後面に固定金具を装着し、これら固定金具の先端をシステムキッチン等の隣接部に押し当てることで、調理器本体を固定する様に構成して成る。【選択図】        図１
2006010195.tif 000002
【特許請求の範囲】
【請求項１】
調理器本体の天面に、被調理物を載せて加熱する天板を一体的に装着すると共に、上記調理器本体をシステムキッチン等の天面板に開口した開口部内に上方から挿入するものにおいて、上記調理器本体の前面左右にサイドモールを前面より着脱自在に装着すると共に、このサイドモールの後面に固定金具を装着し、これら固定金具の先端を上記システムキッチン等の隣接部に押し当てることで、調理器本体を固定する事を特徴とする組込み式加熱調理器。
【請求項２】
上記固定金具の先端を鋸歯状に形成した事を特徴とする、上記請求項１に記載の組込み式加熱調理器。
【請求項３】
上記固定金具を左右方向にスライド可能に構成した事を特徴とする、上記請求項１〜２に記載の組込み式加熱調理器。
【発明の詳細な説明】
【技術分野】
【０００１】
本発明は、システムキッチン等の天面板に開口した開口部内に上方から組込んで使用する組込み式加熱調理器に関する。
【背景技術】
【０００２】
例えばシステムキッチンの天面板に開口した開口部内に上方から組込み収納して設置する組込み式の加熱調理器では、例えば図４にて示す様に、調理器本体５１の天板５２と操作部５３との間の前板５４に、固定金具５５，５５をビス５６，５６によって固定し、固定金具の上端をシステムキッチン等のカウンタートップに押し当てることで、調理器本体を固定していた。
【発明の開示】
【発明が解決しようとする課題】
【０００３】
一方、従来では上記前板の前面に飾板を装着し、カウンタートップと調理器本体の前面との隙間を隠す様に構成していたが、近年、調理器本体に内蔵しているグリルの大型化等の理由により、調理器本体前面の高さ寸法を高くし、上記カウンタートップとの隙間を減らすことで、飾板を省略したり、飾板を薄く簡素なものに構成している。
【０００４】
その場合、調理器本体前面部の掃除時等に、誤って上記隙間に手を挿入される恐れがあり、その場合、指等が金具に当たって損傷する恐れがある。
【０００５】
そこで本発明は、組込み式の加熱調理器において、調理器本体の前面部とカウンタートップとの隙間への指等の挿入による損傷を防止する事を目的とするものである。
【課題を解決するための手段】
【０００６】
本発明の請求項１の構成は、調理器本体の天面に、被調理物を載せて加熱する天板を一体的に装着すると共に、調理器本体をシステムキッチン等の天面板に開口した開口部内に上方から挿入するものにおいて、調理器本体の前面左右にサイドモールを前面より着脱自在に装着すると共に、このサイドモールの後面に固定金具を左右方向にスライド可能に固定し、これら固定金具の先端をシステムキッチン等の隣接部に当接して調理器本体を固定する様に構成したものである。
【０００７】
本発明の請求項２の構成は、請求項１の構成において、固定金具の先端を鋸歯状に形成したものである。
【０００８】
本発明の請求項３の構成は、請求項１〜２の構成において、固定金具を左右方向にスライド可能に構成したものである。
【発明の効果】
【０００９】
本発明の請求項１に記載の構成により、サイドモールの後に固定金具を装着し、この固定金具により調理器本体を固定する様に構成したことで、掃除時等に、天板と調理器本体の前面部との間に誤って指や手を挿入しても、固定金具により損傷する恐れが無く、安全性を向上する事が出来るものである。
【００１０】
本発明の請求項２に記載の構成により、固定金具の先端を鋸歯状に形成したことで、固定金具の先端をシステムキッチン等の隣接部に確実に固定し、調理器本体のガタ付きを防止する事が出来るものである。
【００１１】
本発明の請求項３に記載の構成により、固定金具を左右方向にスライドする様に構成したことで、サイドモール装着間隔という狭いスペースを利用して、固定金具をシステムキッチン等の隣接部に確実に押し当て、これにより、調理器本体を堅固に固定する事が出来るものである。
【発明を実施するための最良の形態】
【００１２】
本発明の実施例を、先ず図１に基づき説明すると、１は例えばシステムキッチン等にドロップイン方式にて組み込まれて使用される電磁調理器の調理器本体で、上面に耐熱ガラス製の天板２を一体的に装着していると共に、この天板の下方内部に熱源となる左右一対の誘導加熱コイル３，４とラジエントヒータ５を内蔵している。
【００１３】
一方、上記調理器本体１の前面右側には操作パネル６を配設していると共に、この操作パネルの左側にはグリル７用のグリル扉８を引き出し自在に配設し、かつ、上記操作パネル６には、シーソー式の電源スイッチ９、複数の操作キー１０・・、プッシュプッシュ並びに回転操作式の操作摘み１１・・等を配設している。
【００１４】
又、上記天板２は、その外周縁に装着した天板枠１２により調理器本体１の上面に固定していると共に、この天板枠の前枠部１３には操作部１４を配置し、かつ天板枠１２の後端部には左右一対の吸排気カバー１５，１５を着脱自在に装着している。
【００１５】
そして、上記天板枠１２の前枠部１３下方には、上記操作パネル６やグリル扉８を装着した調理器本体１の前面部との間に、例えば図２にて示す様にシステムキッチン１６のカウンタートップ１７が係入する凹所１８を形成している。
【００１６】
更に、上記調理器本体１の前面部左右両側部には、樹脂やアルミニウム、ステンレス等で形成したサイドモール１９，１９を前面より着脱自在に装着していると共に、調理器本体１のこれらサイドモールの後方の装着面２０，２０に、固定板２１，２１をビス２２，２２により固定している。
【００１７】
上記固定板２１，２１は、図３にても示す様に先端２３，２３を調理器本体１の外側に略水平方向に向けて突出し、該先端を鋸歯状に形成していると共に、ビス２２，２２の挿入孔２４，２４を水平方向に長い長穴により構成し、固定板２１，２１を水平方向にスライド可能に構成している。
【００１８】
従って、上記調理器本体１をシステムキッチン１６に組み込む場合には、固定板２１，２１を装着面２０，２０に固定しない状態、或いは固定板２１，２１を内側にスライドさせて先端２３，２３が調理器本体１の側面より突出しない状態で、カウンタートップ１７の図示しない開口に上面より挿入し、次いで固定板２１，２１を装着していない場合には、前面より装着面２０，２０にビス２２，２２により仮止めした後、固定板２１，２１を外側に向けてスライドさせ、先端２３，２３を隣接部２４，２４に押し当てた状態にてビス２２，２２を締め付け、固定する。
【００１９】
その後、サイドモール１９，１９を装着面２０，２０に装着し、サイドモールにてこれらの装着面を隠すことで作業は終了する。
【００２０】
これらの構成により、固定板２１，２１をサイドモール１９，１９の装着面２０，２０に装着し、固定板２１，２１により調理器本体１を固定する様に構成したことで、カウンタートップ１７の前面下方の凹所１８前面部には固定用の突出部材がなく、掃除等により誤って凹所１８内に指等を挿入しても、突起物による損傷を防止するものである。
【００２１】
又、上記固定板２１，２１の先端２３，２３を鋸歯状に形成したことで、この先端部と隣接部２４，２４との摩擦力を増加し、何らかの理由により調理器本体１に外力が加わっても、調理器本体の移動を防止する事が出来るものである。
【００２２】
尚、上記実施例では固定板２１，２１を水平方向にスライドさせる様に構成しているが、これに限定されるものではなく、固定板２１，２１の長さを装着面２０，２０と隣接部２４，２４との間隔より少し長めに構成し、固定板２１，２１を装着面２０，２０に対して斜めに挿入し、ビス２２，２２を締め込むことで固定板２１，２１が装着面２０，２０に対しより平行になる様に構成したり、固定板２１，２１を回転すると、回転角度に応じて先端が隣接部２４，２４に押し当たる様に構成しても良い。
【図面の簡単な説明】
【００２３】
【図１】本発明を用いた電磁調理器の実施例を示す斜視図である。
【図２】同じくシステムキッチンに組み込んだ状態を示す正面図である。
【図３】図２中のＡ部の拡大正面図である。
【図４】従来例を示す斜視図である。
【符号の説明】
【００２４】
１    調理器本体
２    天板
１６  システムキッチン
１９  サイドモール
２１  固定金具
２３  先端
２４  隣接部
【図１】
2006010195.tif 000003
【図２】
2006010195.tif 000004
【図３】
2006010195.tif 000005
【図４】
2006010195.tif 000006